(57)【要約】【課題】開口部を大きく開口可能としたジッパー付サイドガゼット袋体を提供すること及び該ジッパー付サイドガゼット袋体を効率よく製造すること。【解決手段】開口部近傍に再開閉機能を有するジッパー付サイドガゼット袋体において、袋体の表裏面のみならずサイドガゼット部全面にもジッパーを配置し、開口部を大きく開口可能としたことを特徴とするジッパー付サイドガゼット袋体；少なくともジッパーのフランジ部背面にシール層を設けて多層構造とし、それぞれのジッパーに爪部として二本以上の錨状突起部を設けたジッパーを配置することを特徴とする前記のジッパー付サイドガゼット袋体；並びに該ジッパー付サイドガゼット袋体を効率よく製造する方法。【選択図】図１２
2006290373.tif 000002
【特許請求の範囲】
【請求項１】
開口部近傍に再開閉機能を有するジッパー付サイドガゼット袋体において、袋体の表裏面のみならずサイドガゼット部全面にもジッパーを配置し、開口部を大きく開口可能としたことを特徴とするジッパー付サイドガゼット袋体。
【請求項２】
少なくともジッパーのフランジ部背面にシール層を設けて多層構造とし、それぞれのジッパーに爪部として二本以上の錨状突起部を設けたジッパーを配置することを特徴とする請求項１に記載のジッパー付サイドガゼット袋体。
【請求項３】
基材フィルムの移動方向に対して横断方向へジッパーを配置してジッパー付サイドガゼット袋体を製造することを特徴とする請求項１又は２のいずれかに記載のジッパー付サイドガゼット袋体の製造方法。
【発明の詳細な説明】
【技術分野】
【０００１】
本発明は、両サイドをＶ字状に折り込んだ構造を有するジッパー付サイドガゼット袋体に関し、さらに詳細には、開封後に再開閉が必要な食品、薬品、雑貨等包装の分野に利用できるジッパー付サイドガゼット袋体に関する。特に本発明は、開口部を大きく開口可能としたジッパー付サイドガゼット袋体及び該ジッパー付サイドガゼット袋体を効率よく製造する方法に関する。
【背景技術】
【０００２】
袋体の開口部近傍に雄型、雌型よりなる再開閉機能を有するジッパーを設けたジッパー付包装用袋体が、食品、薬品、雑貨等多くの分野で使用されている。ジッパー付袋体の一つとして両サイドをＶ字状に折り込んだ構造（以下「サイドガゼット」ということがある。）を有するジッパー付サイドガゼット袋体が知られており、二枚の基材フィルムの上下、左右の四方がシールされた従来のジッパー付袋体と比較し、袋体の外寸が同じ場合、サイドガゼット部が内容物の充填に追随し、伸長することで袋体の見かけの量以上に、多くの内容物を充填することが可能であることから近年、急速に普及している。
【０００３】
ジッパー付サイドガゼット袋体は、袋本体となる基材フィルムからなる表面及び裏面の一対の対向するフィルム部と、左右一対のサイドガゼット部、さらに、再開閉機能を有するジッパーから構成される。
【０００４】
ジッパー付サイドガゼット袋体において、サイドガゼット部は、袋体底部からジッパー下部近傍までの場合と袋体底部から開口部までの場合がある（例えば、特許文献１参照。）。サイドガゼット部が袋体底部からジッパー下部近傍までのジッパー付サイドガゼット袋体の場合、ジッパー付袋体と同様に雄型、雌型よりなる再開閉機能を有するジッパーは、幅方向の全長に対し袋体の開口部近傍に沿うように表面及び裏面のフィルム部に設けてある。一方、サイドガゼット部が袋体底部から開口部までのジッパー付サイドガゼット袋体の場合、雄型、雌型よりなる再開閉機能を有するジッパーは、片方は幅方向の全長に対し袋体の開口部近傍に沿うようにフィルム部に設けてあり、もう一方はサイドガゼット部の一部ともう一方のフィルム部の一部に設けてある。
【特許文献１】特開平９−２４０６８９号公報
【０００５】
しかし、上記いずれのジッパー付サイドガゼット袋体においても、開口部の距離はジッパーを設けた幅方向の全長しかなく、袋体の内容量に対して狭いため、内容物を容易に取り出せない問題があった。また、サイドガゼット部が袋体底部から開口部までのジッパー付サイドガゼット袋体の場合、サイドガゼット部がジッパー背面とフィルム部の間に挟み込まれている為、サイドガゼット部がジッパーと干渉してしまう等の問題もあった。
【発明の開示】
【発明が解決しようとする課題】
【０００６】
本発明は、上記問題点に鑑みてなされたものであって、その目的は、開口部を大きく開口可能としたジッパー付サイドガゼット袋体を提供すること及び該ジッパー付サイドガゼット袋体を効率よく製造することである。
【課題を解決するための手段】
【０００７】
本発明者らは、前記目的を達成するために鋭意検討した結果、ジッパー付サイドガゼット袋体において、ジッパー取り付け時のジッパー配置や、ジッパー爪部の形状を工夫すること、また、ジッパーの取り付け方法を工夫することにより、前記課題を解決できることを見出し、本発明を完成するに至った。
【０００８】
すなわち、本発明は、次のとおりである。
（１）開口部近傍に再開閉機能を有するジッパー付サイドガゼット袋体において、袋体の表裏面のみならずサイドガゼット部全面にもジッパーを配置し、開口部を大きく開口可能としたことを特徴とするジッパー付サイドガゼット袋体。
（２）少なくともジッパーのフランジ部背面にシール層を設けて多層構造とし、それぞれのジッパーに爪部として二本以上の錨状突起部を設けたジッパーを配置することを特徴とする（１）に記載のジッパー付サイドガゼット袋体。
（３）基材フィルムの移動方向に対して横断方向へジッパーを配置してジッパー付サイドガゼット袋体を製造することを特徴とする（１）又は（２）のいずれかに記載のジッパー付サイドガゼット袋体の製造方法。
【発明を実施するための最良の形態】
【０００９】
以下、本発明の具体的な実施形態について、図面を参照しながら詳細に説明する。
【００１０】
図１は、本発明のジッパーの一例の概略図を示したものであり、図２は、本発明のジッパー付サイドガゼット袋体の一例の正面図を示したものであり、図３は、図２のＩＩＩ−ＩＩＩ線に沿った断面図を示したものであり、図４は、本発明のジッパー付サイドガゼット袋体における開口時の一例の概略図を示したものであり、図５は、図４のＶ−Ｖ線に沿った断面図を示したものである。また、図６は、従来技術によるジッパー付サイドガゼット袋体における開口時の一例の概略図を示したものであり、図７は、図６のＶＩＩ−ＶＩＩ線に沿った断面図を示したものである。図８は本発明のジッパーにおける爪部に刃物を用いて線状に切り込みを設けた一例の概略図を示したものであり、図９は、本発明のジッパーにおける爪部の数ミリを取り除き、切り欠け部分を設けた一例の概略図を示したものであり、図１０は、本発明のジッパーにおける爪部及び爪部周辺のフランジ部に刃物を用いて穴を空けることにより切り欠け部分を設けた一例の概略図を示したものであり、図１１は、本発明のジッパーにおける爪部にポイントシールを用いて潰すことにより切り欠け部分を設けた一例の概略図を示したものである。また、図１２は、基材フィルムの移動方向に対して横断方向へジッパーを配置した製袋機にてジッパー付サイドガゼット袋体を製造する一例の概略図を示したものである。
【００１１】
本発明のジッパー付サイドガゼット袋体において、開口部近傍には袋体の再開閉機能を付与するために、図１に示す形状のジッパーを袋体の表裏面のみならずサイドガゼット部全面にも装着する。この様に装着することで図４および図５に示すように開口部を大きく開口することが可能となる。
【００１２】
本発明のジッパーは、フランジ部背面にシール層を設けた少なくとも二層以上の多層構造を有している。
【００１３】
本発明のジッパーに用いる材料としては、ポリエチレン系樹脂組成物が好ましく、フランジ部背面のシール層に用いる樹脂組成物は、密度が８５０ｋｇ／ｍ３以上９１０ｋｇ／ｍ３以下であり、メルトフローレートが０．５ｇ／１０分以上１５ｇ／１０分以下のものが好ましく、錨状突起部側のフランジ部を構成する基部層に用いる樹脂組成物は、密度が９００ｋｇ／ｍ３以上９５０ｋｇ／ｍ３以下であり、メルトフローレートが０．５ｇ／１０分以上１５ｇ／１０分以下のものが好ましい。また、フランジ部背面のシール層は、錨状突起部側のフランジ部を構成する基部層と比較して示差走査熱量計による最高融解ピーク温度が、５℃以上低いことが望ましく、１０℃以上低いことがさらに好ましい。なお、メルトフローレートの測定はＪＩＳ  Ｋ  ７２１０に従い、１９０℃、２．１６ｋｇの荷重にて行った。
【００１４】
フランジ部に上記シール層を設けることにより、ジッパーを融着させるシールバーの温度を低く設定でき、袋体の収縮シワ等の低減による商品価値の向上や製袋時のエネルギーコストの低減等にも貢献できる。また、フランジ部が多層構造であるため、ジッパー同士の内側にプレートを使用しないで製袋することも可能である。
【００１５】
また、本発明のジッパーは、好ましくは、それぞれのジッパーに爪部として二本以上の錨状突起部を設けた構造を有する。この錨状突起部は、二本以上の突起物からなるため、袋体の表裏面が多少上下にずれた場合においても、それぞれの錨状突起部により再閉することが可能である。
【００１６】
また、本発明のジッパーには、必要に応じて公知の添加剤、例えば安定剤、酸化防止剤、滑剤、帯電防止剤、着色剤等を本発明の趣旨を阻害しない範囲内で併用することができる。
【００１７】
本発明のジッパーを得る方法としては特に制限はなく、押出機により溶融混練した樹脂を金型から押出し、冷却して成形する等の公知の方法を用いることができる。
【００１８】
本発明のジッパー付サイドガゼット袋体は、基材フィルムの移動方向に対して横断方向へジッパーを配置することによって製造されることが効率よく製造できる点で好ましい。以下に、本発明のジッパー付サイドガゼット袋体の好ましい製造方法の一例の概略を説明する。
【００１９】
製袋機において、ロール状に巻かれている基材フィルムを繰り出しロールにより搬送する。次に、本発明のジッパーを熱シールにより基材フィルムに取り付ける。基材フィルムへのジッパーの取り付けに際しては、基材フィルムの移動方向に対して横断方向からジッパーを挿入する。基材フィルムの材質は用途により異なるが、例えばナイロンと直鎖状低密度ポリエチレンの積層フィルム等を用いることができる。
【００２０】
上記ジッパー挿入時は、袋体の表面及び裏面と左右一対のサイドガゼット部に相当する長さに予めジッパーがカットされ挿入される。この時ジッパーは、袋体の折り込み部分にあたる部位において、予め切り込み又は切り欠け部分を設ける。切り込み又は切り欠け部分はジッパーにおける爪部又は爪部及び爪部周辺のフランジ部に施される。例えば図８に示すように、ジッパーにおける爪部に刃物を用いて線状に切り込みを設けたり、図９に示すようにジッパーにおける爪部の数ミリを取り除き、切り欠け部分を設けたり、図１０に示すようにジッパーにおける爪部及び爪部周辺のフランジ部に刃物を用いて穴を空けることにより切り欠け部分を設けたり、また図１１に示すようにジッパーにおける爪部にポイントシールを用いて潰すことにより切り欠け部分を設けて実施する。このように切り込み又は切り欠け部分を設けることにより、サイドガゼット部全面にジッパーを配置した場合においても、袋体の折り込みが自在となる。
【００２１】
ジッパーを取り付けた後、基材フィルムを折り込み補助板にて筒状に折り込み、背張り部を設けて筒状に熱シールする。熱シールして筒状になった基材フィルムは、次の工程のサイドガゼット折り込み部にてＶ字状に折り込み、サイドガゼット部を形成する。さらに、トップ及びボトムシールをした後、規定長さにカットして、ジッパー付サイドガゼット袋体を製造する。
【００２２】
本発明によって得られたジッパー付サイドガゼット袋体は、図４、図６に示すように、従来技術のジッパー付サイドガゼット袋体の図５、図７と比較して、開口部を大きく開口することが可能となり、食品、薬品、雑貨等の内容物の取り出しにおいて、サイドガゼット部がジッパーと干渉せず、非常に使い勝手が良い。また、本発明の製造方法を用いることにより、ジッパー付サイドガゼット袋体を効率よく製造することが可能となる。
【図面の簡単な説明】
【００２３】
【図１】本発明のジッパーの一例の概略図を示したものである。
【図２】本発明のジッパー付サイドガゼット袋体の一例の正面図を示したものである。
【図３】図２のＩＩＩ−ＩＩＩ線に沿った断面図を示したものである。
【図４】本発明のジッパー付サイドガゼット袋体における開口時の一例の概略図を示したものである。
【図５】図４のＶ−Ｖ線に沿った断面図を示したものである。
【図６】従来技術によるジッパー付サイドガゼット袋体における開口時の一例の概略図を示したものである。
【図７】図６のＶＩＩ−ＶＩＩ線に沿った断面図を示したものである。
【図８】本発明のジッパーにおける爪部に刃物を用いて線状に切り込みを設けた一例の概略図を示したものである。
【図９】本発明のジッパーにおける爪部の数ミリを取り除き、切り欠け部分を設けた一例の概略図を示したものである。
【図１０】本発明のジッパーにおける爪部及び爪部周辺のフランジ部に刃物を用いて穴を空けることにより切り欠け部分を設けた一例の概略図を示したものである。
【図１１】本発明のジッパーにおける爪部にポイントシールを用いて潰すことにより切り欠け部分を設けた一例の概略図を示したものである。
【図１２】基材フィルムの移動方向に対して横断方向へジッパーを配置した製袋機にてジッパー付サイドガゼット袋体を製造する一例の概略図を示したものである。
【符号の説明】
【００２４】
１  ジッパー
２  爪部
３  フランジ部
３ａ  基部層
３ｂ  シール層
４  ジッパー付サイドガゼット袋体
４ａ  サイドガゼット部
４ｂ  背張り部
５  基材フィルム
６  切り込み、切り欠け部分
６ａ  刃物を用いた線状の切り込み
６ｂ  数ミリを取り除いた切り欠け部分
６ｃ  刃物を用いて穴を空けた切り欠け部分
６ｄ  ポイントシールを用いて潰した部分
７  ジッパー装着シールバー
８  折り込み補助板
９  サイドガゼット折り込み部
１０  トップ及びボトムシールバー
【図１】
2006290373.tif 000003
【図２】
2006290373.tif 000004
【図３】
2006290373.tif 000005
【図４】
2006290373.tif 000006
【図５】
2006290373.tif 000007
【図６】
2006290373.tif 000008
【図７】
2006290373.tif 000009
【図８】
2006290373.tif 000010
【図９】
2006290373.tif 000011
【図１０】
2006290373.tif 000012
【図１１】
2006290373.tif 000013
【図１２】
2006290373.tif 000014